(57)【要約】      （修正有）【課題】到来角推定用に具体的にデザインされた標準化プロトコルまたは信号方式が必要でないという点で標準的非依存型である無線信号の到来角を推定するためのシステム及び方法を提供する。【解決手段】第１のアンテナ及び第２のアンテナにおいて送信部からの無線信号を受信する１００。無線信号は、信号キャリアと信号キャリア上で変調された１つ以上のデータシンボルとを含む。無線信号内の１つ以上のデータシンボルをデコードして、シンボル位相寄与を決定する１０４。１つ以上のシンボル時間の間の第１のアンテナと第２のアンテナとにおける無線信号の位相を推定して、第１の位相測定値の組と第２の位相測定値の組とをそれぞれ得る１０６，１０８。第１の位相測定値の組と第２の位相測定値の組とからシンボル位相寄与を取り除いて、第１の補正位相測定値の組と第２の補正位相測定値の組とをそれぞれ得る。これらを用いて無線信号の到来角を推定する１１４。【選択図】図１
2020095006.tif 000002
【特許請求の範囲】
【請求項１】
無線受信部を動作させるための方法であって、
第１のアンテナ及び第２のアンテナにおいて送信部からの無線信号を受信することであって、前記無線信号は、信号キャリアと前記信号キャリア上で変調された１つ以上のデータシンボルとを含み、前記１つ以上のデータシンボルはそれぞれ、異なるシンボル時間の間に前記信号キャリア上で変調される、前記受信することと、
前記無線信号内の前記１つ以上のデータシンボルをデコードしてシンボル位相寄与を決定することであって、前記シンボル位相寄与は、前記１つ以上のデータシンボルの変調に起因する前記信号キャリアの前記位相の変化である、前記決定することと、
１つ以上のシンボル時間に前記第１のアンテナで受信した前記無線信号の位相を推定して、第１の位相測定値の組を得ることと、
１つ以上のシンボル時間に前記第２のアンテナで受信した前記無線信号の位相を推定して、第２の位相測定値の組を得ることと、
前記第１の位相測定値の組から前記シンボル位相寄与を取り除いて、第１の補正位相測定値の組を得ることと、
前記第２の位相測定値の組から前記シンボル位相寄与を取り除いて、第２の補正位相測定値の組を得ることと、
前記第１の補正位相測定値の組と前記第２の補正位相測定値の組とを分析して、前記無線信号の到来角を推定することと、を含む前記方法。
【請求項２】
前記無線信号の第１の部分における前記１つ以上のデータシンボルをデコードすること、
前記第１のアンテナで受信した前記無線信号の前記位相を推定することは、前記無線信号の前記第１の部分内での前記第１のアンテナで受信した前記無線信号の前記位相を推定することを含み、
前記第２のアンテナで受信した前記無線信号の前記位相を推定することは、前記無線信号の前記第１の部分内での前記第２のアンテナで受信した前記無線信号の前記位相を推定することを含む請求項１に記載の方法。
【請求項３】
前記無線信号の第１の部分における前記１つ以上のデータシンボルをデコードすること、
前記第１のアンテナで受信した前記無線信号の前記位相を推定することは、前記１つ以上のデータシンボルを含む前記無線信号の第２の部分内での前記第１のアンテナで受信した前記無線信号の前記位相を推定することであって、前記無線信号の前記第２の部分は前記無線信号の前記第１の部分とは不連続である、前記推定することを含み、
前記第２のアンテナで受信した前記無線信号の前記位相を推定することは、前記無線信号の前記第２の部分内での前記第２のアンテナで受信した前記無線信号の前記位相を推定することを含む請求項１に記載の方法。
【請求項４】
前記１つ以上のデータシンボルはデータパケットの一部であり、
前記方法はさらに、前記無線信号が当初のデータパケットと１つ以上の再送信データパケットとを含むように前記送信部からの前記データパケットの再送信をリクエストすることを含む請求項３に記載の方法。
【請求項５】
前記無線信号の前記第１の部分は、前記当初のデータパケットと前記１つ以上の再送信データパケットとのうちの第１の１つにおける前記１つ以上のデータシンボルを含み、
前記無線信号の前記第２の部分は、前記当初のデータパケットと前記１つ以上の再送信データパケットとのうちの第２の１つにおける前記１つ以上のデータシンボルを含み、前記第２の１つは、前記当初のデータパケットと前記１つ以上の再送信データパケットとのうちの前記第１の１つとは異なる請求項４に記載の方法。
【請求項６】
前記無線信号の前記第１の部分をデコードして、前記１つ以上のデータシンボルを含むデータパケットの長さを決定することをさらに含む請求項５に記載の方法。
【請求項７】
前記無線信号の前記第２の部分をデコードして、前記１つ以上のデータシンボルを含むデータパケットの長さを決定することをさらに含む請求項５に記載の方法。
【請求項８】
前記無線信号の第３の部分をデコードして、前記１つ以上のデータシンボルを含むデータパケットの長さを決定することをさらに含み、
前記無線信号の前記第３の部分は、前記無線信号の前記第１の部分及び前記無線信号の前記第２の部分とは不連続であり、
前記無線信号の前記第３の部分は、前記当初のデータパケットと前記１つ以上の再送信データパケットとのうちの第３の１つにおける前記１つ以上のデータシンボルを含み、前記第３の１つは、前記当初のデータパケットと前記１つ以上の再送信データパケットとのうちの前記第１の１つ、及び前記当初のデータパケットと前記１つ以上の再送信データパケットとのうちの前記第２の１つとは異なる請求項５に記載の方法。
【請求項９】
無線受信部であって、
第１のアンテナ及び第２のアンテナであって、それぞれ送信部から無線信号を受信するように構成され、前記無線信号は、信号キャリアと前記信号キャリア上で変調された１つ以上のデータシンボルとを含み、前記１つ以上のデータシンボルはそれぞれ、異なるシンボル時間の間に前記信号キャリア上で変調される、前記第１のアンテナ及び第２のアンテナと、
前記第１のアンテナ、前記第２のアンテナ、及びデコーダ回路に結合された位相推定回路であって、
前記第１のアンテナ及び前記第２のアンテナから前記無線信号の少なくとも一部を受信することと、
前記無線信号内の前記１つ以上のデータシンボルをデコードして、シンボル位相寄与を決定することであって、前記シンボル位相寄与は、前記１つ以上のデータシンボルの変調に起因する前記信号キャリアの前記位相の変化である、前記決定することと、
１つ以上のシンボル時間に前記第１のアンテナで受信した前記無線信号の位相を推定して、第１の位相測定値の組を得ることと、
１つ以上のシンボル時間に前記第２のアンテナで受信した前記無線信号の位相を推定して、第２の位相測定値の組を得ることと、
前記第１の位相測定値の組から前記シンボル位相寄与を取り除いて、第１の補正位相測定値の組を得ることと、
前記第２の位相測定値の組から前記シンボル位相寄与を取り除いて、第２の補正位相測定値の組を得ることと、を行うように構成された前記位相推定回路と、
前記位相推定回路に結合された到来角推定回路であって、前記第１の補正位相測定値の組と前記第２の補正位相測定値の組とに基づいて、前記無線信号の到来角を推定するように構成された、前記到来角推定回路と、を含む前記無線受信部。
【請求項１０】
前記位相推定回路は、
前記無線信号の第１の部分における前記１つ以上のデータシンボルをデコードすることと、
前記無線信号の前記第１の部分における、前記第１のアンテナで受信した前記無線信号の前記位相を推定し、前記第２のアンテナで受信した前記無線信号の前記位相を推定することと、を行うように構成されている請求項９に記載の無線受信部。
【請求項１１】
アンテナ切替回路をさらに含み、前記アンテナ切替回路は、
前記位相推定回路の入力を前記第１のアンテナに選択的に結合して、前記第１のアンテナで受信した前記無線信号の前記位相を測定することと、
前記位相推定回路の前記入力を前記第２のアンテナに選択的に結合して、前記第２のアンテナで受信した前記無線信号の前記位相を測定することと、を行うように構成されている請求項１０に記載の無線受信部。
【請求項１２】
前記アンテナ切替回路は、前記データシンボルのうちの各１つの境界において、前記第１のアンテナと前記第２のアンテナとの間で前記位相推定回路の前記入力を切り替えるように構成されている請求項１１に記載の無線受信部。
【請求項１３】
前記位相推定回路は、
前記無線信号の第１の部分における前記１つ以上のデータシンボルをデコードすることと、
前記無線信号の第２の部分において、前記第１のアンテナで受信した前記無線信号の前記位相を推定し、前記第２のアンテナで受信した前記無線信号の前記位相を推定することであって、前記第２の部分は、前記無線信号の前記第１の部分とは不連続である、前記推定することと、を行うように構成されている請求項９に記載の無線受信部。
【請求項１４】
アンテナ切替回路をさらに含み、前記アンテナ切替回路は、
前記位相推定回路の入力を前記第１のアンテナに選択的に結合して、前記第１のアンテナで受信した前記無線信号の前記位相を測定することと、
前記位相推定回路の前記入力を前記第２のアンテナに選択的に結合して、前記第２のアンテナで受信した前記無線信号の前記位相を測定することと、を行うように構成されている請求項１３に記載の無線受信部。
【請求項１５】
前記アンテナ切替回路は、前記データシンボルのうちの各１つの境界において前記第１のアンテナと前記第２のアンテナとの間で前記位相推定回路の前記入力を切り替えるように構成されている請求項１４に記載の無線受信部。
【請求項１６】
前記１つ以上のデータシンボルはデータパケットの一部であり、
前記無線受信部は、前記無線信号が当初のデータパケットと１つ以上の再送信データパケットとを含むように前記送信部からの前記データパケットの再送信をリクエストするように構成されている請求項１３に記載の無線受信部。
【請求項１７】
前記無線信号の前記第１の部分は、前記当初のデータパケットと前記１つ以上の再送信データパケットとのうちの第１の１つにおける前記１つ以上のデータシンボルを含み、
前記無線信号の前記第２の部分は、前記当初のデータパケットと前記１つ以上の再送信データパケットとのうちの第２の１つにおける前記１つ以上のデータシンボルを含み、前記第２の１つは、前記当初のデータパケットと前記１つ以上の再送信データパケットとのうちの前記第１の１つとは異なる請求項１６に記載の無線受信部。
【請求項１８】
前記デコーダ回路はさらに、前記無線信号の前記第１の部分をデコードして、前記１つ以上のデータシンボルを含むデータパケットの長さを決定するように構成されている請求項１７に記載の無線受信部。
【請求項１９】
前記デコーダ回路はさらに、前記無線信号の前記第２の部分をデコードして、前記１つ以上のデータシンボルを含むデータパケットの長さを決定するように構成されている請求項１７に記載の無線受信部。
【請求項２０】
前記デコーダ回路はさらに、前記無線信号の第３の部分をデコードして、前記１つ以上のデータシンボルを含むデータパケットの長さを決定するように構成され、
前記無線信号の前記第３の部分は、前記無線信号の前記第１の部分及び前記無線信号の前記第２の部分とは不連続であり、
前記無線信号の前記第３の部分は、前記当初のデータパケットと前記１つ以上の再送信データパケットとのうちの第３の１つにおける前記１つ以上のデータシンボルを含み、前記第３の１つは、前記当初のデータパケットと前記１つ以上の再送信データパケットとのうちの前記第１の１つ、及び前記当初のデータパケットと前記１つ以上の再送信データパケットとのうちの前記第２の１つとは異なる請求項１７に記載の無線受信部。
【請求項２１】
前記位相推定回路は、
位相測定回路であって、前記第１のアンテナで受信した前記無線信号の前記位相を推定し、前記第２のアンテナで受信した前記無線信号の前記位相を推定するように構成された前記位相測定回路と、
前記無線信号内の前記１つ以上のデータシンボルをデコードして前記シンボル位相寄与を決定するように構成されたシンボル位相寄与キャンセレーション回路と、を含む請求項９に記載の無線受信部。
【請求項２２】
前記位相測定回路は、前記無線信号の１つ以上のゼロ交差に基づいて、前記無線信号の前記位相を推定するように構成されている請求項２１に記載の無線受信部。
【請求項２３】
前記位相測定回路は、前記無線信号と１つ以上のシンボルパターンとの相関に基づいて、前記無線信号の前記位相を推定するように構成されている請求項２１に記載の無線受信部。
【請求項２４】
前記無線信号における各シンボル時間の間に、
前記位相測定回路は前記無線信号の前記位相を推定して位相測定値を得るように構成され、
前記シンボル位相寄与キャンセレーション回路は、前記１つ以上のデータシンボルのうちの１つをデコードして、前記シンボル位相寄与の更新を、前記シンボル位相寄与が、送信された前記１つ以上の各データシンボルの前記変調に起因する前記信号キャリアの前記位相の前記変化となるように行うように構成され、
前記位相推定回路は、前記位相測定値から前記シンボル位相寄与を差し引いて補正位相測定値を生成するように構成されている請求項２１に記載の無線受信部。
【請求項２５】
アンテナ切替回路をさらに含み、前記アンテナ切替回路は、
前記位相推定回路の入力を前記第１のアンテナに選択的に結合して、前記第１のアンテナで受信した前記無線信号の前記位相を測定することと、
前記位相推定回路の前記入力を前記第２のアンテナに選択的に結合して、前記第２のアンテナで受信した前記無線信号の前記位相を測定することと、を行うように構成されている請求項９に記載の無線受信部。
【請求項２６】
前記アンテナ切替回路は、前記１つ以上のデータシンボルのそれぞれに対して前記第１のアンテナと前記第２のアンテナとの間で前記位相推定回路の前記入力を切り替えるように構成されている請求項２５に記載の無線受信部。
【請求項２７】
前記アンテナ切替回路は、前記１つ以上のデータシンボルのそれぞれにおける同じ場所で前記第１のアンテナと前記第２のアンテナとの間で前記位相推定回路の前記入力を切り替えるように構成されている請求項２６に記載の無線受信部。
【請求項２８】
前記位相推定回路は、前記１つ以上のデータシンボルのそれぞれにおける同じ場所で前記無線信号の前記位相を推定するように構成されている請求項２７に記載の無線受信部。
【請求項２９】
前記アンテナ切替回路は、前記位相推定回路が前記無線信号の前記位相を推定するように構成されるより所定の時間前に、前記第１のアンテナと前記第２のアンテナとの間で前記位相推定回路の前記入力を切り替えるように構成されている請求項２６に記載の無線受信部。
【請求項３０】
前記位相推定回路は、前記１つ以上のデータシンボルのそれぞれにおけるチップの既知の列の間に前記無線信号の前記位相を測定するように構成されている請求項９に記載の無線受信部。
【発明の詳細な説明】
【技術分野】
【０００１】
本開示は、無線信号の到来角を推定するためのシステム及び方法に関し、具体的には、到来角推定用に具体的にデザインされた標準化プロトコルまたは信号方式が必要でないという点で標準的非依存型である無線信号の到来角を推定するためのシステム及び方法に関する。
【背景技術】
【０００２】
無線信号の到来角は、無線受信部で測定されると、無線受信部に対して無線信号が送信された方向を示す。到来角によって、送信部と受信部との間の空間的関係についての情報が得られるため、室内の位置特定サービス、資産追跡、及びサービス発見などのいくつかの無線応用例に対して有望である。無線信号の到来角は、異なるアンテナで受信した無線信号間の位相差を検出することによって推定することができる。従来の到来角推定では、無線信号の受信部が、無線信号を異なるアンテナ上で受信したときに無線信号間の位相差を適切に推定できるように、合意された専有のまたは標準化された無線信号（たとえば、連続音）を送信する必要がある。このようなアプローチは、到来角推定に対するこれらの合意された信号方式を有さない旧世代または将来世代の無線システムとの後方互換性がない。このため、これらの有望な応用例が広く採用されることが阻まれている。前述したことを考慮して、到来角推定に対するシステム及び方法の改善が求められている。
【発明の概要】
【０００３】
一実施形態では、無線受信部を動作させるための方法は、第１のアンテナ及び第２のアンテナにおいて送信部からの無線信号を受信することから始まる。無線信号には、信号キャリアと信号キャリア上で変調された１つ以上のデータシンボルとが含まれる。次に、無線信号内の１つ以上のデータシンボルをデコードしてシンボル位相寄与を決定する。シンボル位相寄与は、１つ以上のデータシンボルの変調に起因する信号キャリアの位相、振幅、周波数、またはこれらの特徴の任意の組み合わせの変化である。１つ以上のデータシンボルはそれぞれ、異なるシンボル時間の間に信号キャリア上で変調される。次に、１つ以上のシンボル時間の間に第１のアンテナにおける無線信号の位相を推定して、第１の位相測定値の組を得る。また１つ以上のシンボル時間の間に第２のアンテナにおける無線信号の位相も推定して、第２の位相測定値の組を得る。第１の位相測定値の組及び第２の位相測定値の組の両方からシンボル位相寄与を取り除いて、第１の補正位相測定値の組と第２の補正位相測定値の組とを得る。次に第１の補正位相測定値の組と第２の補正位相測定値の組とを用いて、無線信号の到来角を推定する。シンボル位相寄与を決定して、それを第１の位相測定値の組と第２の位相測定値の組とから取り除くことによって、任意のデータパケットに対しても正確な到来角推定を行うことができ、その結果、前述の送信部の専用の合意されたまたは標準準拠の信号方式。
【０００４】
一実施形態では、無線受信部は、第１のアンテナ及び第２のアンテナ、デコーダ回路、位相推定回路、及び到来角推定回路を含む。第１のアンテナ及び第２のアンテナはそれぞれ、送信部から無線信号を受信するように構成されている。無線信号には、信号キャリアと信号キャリア上で変調された１つ以上のデータシンボルとが含まれる。デコーダ回路は第１のアンテナ及び第２のアンテナに結合されていて、第１のアンテナ及び第２のアンテナから無線信号の少なくとも一部を受信して、無線信号内の１つ以上のデータシンボルをデコードしてシンボル位相寄与を決定するように構成されている。シンボル位相寄与は、１つ以上のデータシンボルの変調に起因する信号キャリアの位相、振幅、周波数、またはこれらの特徴の任意の組み合わせの変化である。１つ以上のデータシンボルはそれぞれ、異なるシンボル時間の間に信号キャリア上で変調される。位相推定回路は第１のアンテナ、第２のアンテナ、及びデコーダ回路に結合されていて、１つ以上のシンボル時間に第１のアンテナ及び第２のアンテナで受信した無線信号の位相を推定して、第１の位相測定値の組と第２の位相測定値の組とをそれぞれ得るように構成されている。さらに、位相推定回路は、第１の位相測定値の組と第２の位相測定値の組とからシンボル位相寄与を取り除いて、第１の補正位相測定値の組と第２の補正位相測定値の組とをそれぞれ得るように構成されている。到来角推定回路は位相推定回路に結合されていて、第１の補正位相測定値の組と第２の補正位相測定値の組とに基づいて無線信号の到来角を推定するように構成されている。シンボル位相寄与を決定して、それを第１の位相測定値の組と第２の位相測定値の組とから取り除くことによって、任意のデータパケットに対しても正確な到来角推定を行うことができ、その結果、専用の合意されたまたは標準準拠の信号方式が送信部において必要でない。
【０００５】
当業者であれば、好ましい実施形態の以下の詳細な説明を添付図面図とともに読んだ後で、本開示の範囲を理解してそのさらなる態様を実現する。
【０００６】
本明細書に組み込まれて一部を構成する添付図面図は、本開示のいくつかの態様を例示し、説明とともに本開示の原理を説明する働きをする。
【図面の簡単な説明】
【０００７】
【図１】本開示の一実施形態による無線受信部を動作させるための方法を例示するフロー図である。
【図２】本開示の一実施形態による無線受信部を例示するブロック図である。
【図３】本開示の一実施形態によるデータパケットを例示する略図である。
【図４】本開示の一実施形態によるデータパケットフローを例示する略図である。
【図５】本開示の一実施形態によるデータパケットフローを例示する略図である。
【図６】本開示の一実施形態によるデータパケットフローを例示する略図である。
【図７】本開示の実施形態による位相推定回路を例示する略図である。
【図８】本開示の一実施形態による位相推定回路を例示する略図である。
【図９】本開示の一実施形態による到来角推定のためのデータパケットを例示する略図である。
【図１０】本開示の一実施形態による到来角推定で用いる一連の繰り返しデータシンボルを例示する略図である。
【発明を実施するための形態】
【０００８】
以下に述べる実施形態は、当業者が実施形態を実施できるために必要な情報を表し、実施形態を実施する最良の形態を例示する。以下の説明を添付図面図を考慮して読めば、当業者であれば本開示の概念を理解して、本明細書では特に扱っていないこれらの概念の応用例が分かる。当然のことながら、これらの概念及び応用例は本開示及び添付の特許請求の範囲に含まれる。
【０００９】
本明細書では第１、第２などの用語を用いて種々の要素を説明する場合があるが、これらの用語によってこれらの要素を限定してはならないことを理解されたい。これらの用語は単に１つの要素を別のものと区別するために用いられる。たとえば、本開示の範囲から逸脱することなく、第１の要素を第２の要素と言うことができ、同様に、第２の要素を第１の要素と言うことができる。本明細書で用いる場合、用語「及び／または」には、関連する列記した事項のうちの任意の、またはすべての組み合わせが含まれる。
【００１０】
当然のことながら、層、領域、または基材などの要素が別の要素「上に」あるかまたは別の要素「上に」延びると言うとき、それは他方の要素上に直接あることもまたは他方の要素上に直接延びることもできるし、または介在要素が存在していてもよい。対照的に、要素が別の要素「上に直接」あるかまたは別の要素「上に直接」延びると言うとき、介在要素は存在しない。同様に、当然のことながら、層、領域、または基材などの要素が別の要素の「上方に」あるかまたは別の要素の「上方に」延びると言うとき、それは他方の要素の上方に直接あることもまたは他方の要素の上方に直接延びることもできるし、または介在要素が存在していてもよい。対照的に、要素が別の要素の「上方に直接」あるかまたは別の要素の「上方に直接」延びると言うとき、介在要素は存在しない。また当然のことながら、要素が別の要素に「接続されている」かまたは「結合されている」と言うとき、それは他方の要素に直接接続することもまたは結合することもできるし、または介在要素が存在していてもよい。対照的に、要素が別の要素に「直接接続されている」かまたは別の要素に「直接結合されている」と言うとき、介在要素は存在しない。
【００１１】
本明細書では、「下方」もしくは「上方」、または「上部」もしくは「下部」、または「水平方向」もしくは「垂直方向」などの相対語を用いて、図に例示するような要素、層、または領域の、別の要素、層、または領域に対する関係を記述してもよい。当然のことながら、これらの用語及び前述したものは、図に示した方位に加えて、デバイスの異なる方位を包含することが意図されている。
【００１２】
本明細書で用いる術語は、単に特定の実施形態を説明するためのものであり、本開示を限定することは意図されていない。本明細書で用いる場合、単数形「ａ」「ａｎ」及び「ｔｈｅ」は、文脈が明らかに他の意味を示す場合を除き、複数形もまた含むことが意図されている。さらに当然のことながら、用語「含む（ｃｏｍｐｒｉｓｅｓ）」、「含んでいる（ｃｏｍｐｒｉｓｉｎｇ）」、「含む（ｉｎｃｌｕｄｅｓ）」、及び／または「含んでいる（ｉｎｃｌｕｄｉｎｇ）」は、本明細書で用いる場合、記載した特徴、整数、ステップ、動作、要素、及び／または部品の存在を特定するが、１つ以上の他の特徴、整数、ステップ、動作、要素、部品、及び／またはそれらのグループの存在または追加を排除するものではない。
【００１３】
別に定義がない限り、本明細書で用いるすべての用語（技術及び科学用語を含む）は、本開示が属する分野の当業者が広く理解するものと同じ意味を有する。さらに当然のことながら、本明細書で用いる用語は、本明細書及び関連技術の文脈におけるそれらの意味と整合する意味を有すると解釈すべきであり、本明細書において明示的にそのように規定される場合を除き、理想的な意味または過度に形式張った意味には解釈されない。
【００１４】
図１は、本開示の一実施形態により無線信号の到来角を推定するための方法を例示するフロー図である。最初に、第１のアンテナ及び第２のアンテナにおいて無線信号を受信する（ステップ１００）。無線信号には、信号キャリアと信号キャリア上で変調された１つ以上のデータシンボルとが含まれる。無線信号に１つ以上のデータパケットが含まれるように、１つ以上のデータシンボルは１つ以上のデータパケットの一部であってもよい。次に、１つ以上のデータパケット内の少なくとも１つのデータパケットのパケット長を決定する（ステップ１０２）。少なくとも１つのデータパケットのパケット長を決定することは、データパケットの少なくとも一部をデコードすることを含んでいてもよい。たとえば、少なくとも１つのデータパケットのパケット長を決定することは、データパケットのヘッダ（データパケット長を含む）をデコードすることを含んでいてもよい。本明細書で述べるように、データパケットまたはその一部をデコードすることは、データパケットまたはその一部からのデータを再生することを含む。当業者であれば、そのように（すなわち、復調、アナログデジタル変換などを）行うために必要なステップを容易に理解するため、本明細書ではこれらのステップについては説明しない。次に、１つ以上のデータシンボルを含む無線信号の一部をデコードしてシンボル位相寄与を決定する（ステップ１０４）。具体的には、無線信号を、後述するようにデータシンボルを含む多くのシンボル時間の各１つにおいてデコードする。本明細書で述べるように、シンボル位相寄与は、信号キャリア上での１つ以上のデータシンボルの変調に起因する信号キャリアの位相の変化である。シンボル位相寄与を決定するために、１つ以上のデータシンボルをデコードしなければならず、これには、前述で決定したパケット長が必要となり得る。
【００１５】
次に、第１のアンテナにおける無線信号の位相を推定して第１の位相測定値の組を得る（ステップ１０６）。さらに、第２のアンテナにおける無線信号の位相を推定して第２の位相測定値の組を得る（ステップ１０８）。特に、第１の位相測定値の組及び第２の位相測定値の組の各１つは、データパケットのシンボル時間の間の別個の位相測定値であり、したがって、シンボル位相寄与が含まれる。言い換えれば、また以下に詳細に説明するように、第１の位相測定値の組と第２の位相測定値の組とは全般的に、１つ以上のデータシンボルの異なるものの間に順次に推定される。したがって、第１の位相測定値の組と第２の位相測定値の組との間の位相差は、部分的に第１のアンテナと第２のアンテナとの間の空間的関係に起因し、部分的にシンボル位相寄与に起因する。到来角推定では、第１のアンテナと第２のアンテナとの間の空間的関係のみに起因する第１の位相測定値の組と第２の位相測定値の組との間の位相差を知っている必要がある。したがって、シンボル位相寄与を第１の位相測定値の組から取り除いて第１の補正位相測定値の組を得て（ステップ１１０）、第２の位相測定値の組から取り除いて第２の補正位相測定値の組を得る（ステップ１１２）。第１の位相測定値の組と第２の位相測定値の組とからシンボル位相寄与を取り除くと、結果として得られる第１の補正位相測定値の組と第２の補正位相測定値の組とはそれぞれ、基本的に、無線信号の信号キャリアの位相測定値である。したがって、第１の補正位相測定値の組と第２の補正位相測定値の組との間の位相差は、第１のアンテナと第２のアンテナとの間の空間的関係のみに起因し、シンボル位相寄与には起因しない。最後に、無線信号の到来角を、第１の補正位相測定値の組と第２の補正位相測定値の組とに基づいて推定する（ステップ１１４）。第１の補正位相測定値の組と第２の補正位相測定値の組とを用いて無線信号の到来角を推定することは、当業者が容易に理解する任意の数の方法で行ってもよい。これらはすべて本明細書において企図される。図示しないが、復号データシンボルを、通常行うように上流回路に送って、その後に処置してもよい。
【００１６】
図２に示すのは、本開示の一実施形態により無線信号の到来角を推定するための受信部回路１０である。受信部回路１０は、第１のアンテナ１２Ａ、第２のアンテナ１２Ｂ、アンテナ切替回路１４、デコーダ回路１６、位相推定回路１８、及び到来角推定回路２０を含む。第１のアンテナ１２Ａと第２のアンテナ１２Ｂとは、デコーダ回路１６と位相推定回路１８とにアンテナ切替回路１４を介して結合されている。位相推定回路１８はさらに、デコーダ回路１６と到来角推定回路２０との間に結合されている。デコーダ回路１６、位相推定回路１８、及び到来角推定回路２０を受信部回路１０内の別個の部分として示しているが、本開示の原理から逸脱することなく、それらを組み合わせてもよいしまたは任意の数の異なる部品にさらに分離してもよい。図示しないが、受信部回路１０はさらに、アンテナ切替回路１４、デコーダ回路１６、及び位相推定回路１８の間に復調回路を含んでいてもよい。
【００１７】
受信部回路１０は、図１に対して前述した方法により無線信号の到来角を推定するように構成されている。無線信号を第１のアンテナ１２Ａと第２のアンテナ１２Ｂとにおいて受信する。アンテナ１２の各１つに対して、ＲＦフロントエンドハードウェア、デコーダ回路１６、位相推定回路１８、及び到来角推定回路２０を複製することを回避するために、実用的な低電力で低コストなシステムでは、デコーダ回路１６及び位相推定回路１８に結合されたアンテナ１２を切り替えるアンテナ切替回路１４が必要である。これによって、第１のアンテナ１２Ａ及び第２のアンテナ１２Ｂの両方において位相推定回路１８によって無線信号の位相を推定して、第１の位相測定値の組と第２の位相測定値の組とをそれぞれ得ることができる。このアンテナ切り替えによって過渡効果が導入されて、位相及びシンボル推定が複雑になる。デコーダ回路１６は、パケット長と無線信号内の１つ以上のデータシンボルとをデコードする。これらを位相推定回路１８が用いて、第１の補正位相測定値の組と第２の補正位相測定値の組とを生成する。到来角推定回路２０では、第１の補正位相測定値の組と第２の補正位相測定値の組とを用いて無線信号の到来角を推定する。
【００１８】
図３に、本開示の一実施形態による典型的なデータパケット２２を例示する。データパケット２２にはプリアンブル２４及びデータ２６が含まれる。データ２６には多くのデータシンボル（Ｓ１〜ＳＮとして示す）が含まれる。データシンボルの各１つの境界は、そのデータシンボルに対するシンボル時間を表す。これは、データシンボルが送信される時間を表す。前述した位相測定は、データシンボル時間の１つ以上の間に行われる。データパケット２２を伝える無線信号のフォーマットに応じて、データシンボルの各１つが送信される時間または前述したようなシンボル時間は、異なってもよい。たとえば、無線信号がＺｉｇｂｅｅ無線信号である場合、シンボル時間は、無線信号がブルートゥースローエナジー（ＢＴＬＥ）無線信号である場合よりもはるかに長い。前述したように、受信部回路１０のアンテナ１２間で切り替えて、第１のアンテナ１２Ａと第２のアンテナ１２Ｂとにおける位相を測定すると、スイッチング過渡現象が導入されて信号が破損する。シンボル時間が十分に長ければ、アンテナ切替回路１４は、シンボル間の境界において第１のアンテナ１２Ａと第２のアンテナ１２Ｂとの間で切り替えることができ、依然として、デコーダ回路１６がデータシンボルを信頼性高くデコードすること、位相推定回路１８が入ってくる無線信号の位相を信頼性高く推定することに利用できる十分に未破損な信号が存在する。したがって、無線信号の到来角を単一のデータパケットを用いて決定することができる。
【００１９】
しかし、シンボル時間が短すぎる（たとえば、スイッチング過渡現象よりも短いかまたはこれに匹敵する）と、デコーダ回路１６によるデータシンボルの検出がスイッチング過渡現象によって妨げられる可能性がある。このような場合、無線信号の到来角の推定には１つを超えるデータパケットが必要となる場合がある。到来角推定を容易にするために複数のデータパケットを与える専用の送信部回路を必要とするのではなく、本開示では、到来角推定を実行するのに必要な追加データパケットを得るために良く知られた標準化された再送信プロトコルを用いることを提案する。たとえば、多くの無線標準では、パケットが受信部によって確認応答されない場合にパケットの再送信を命令する。このような再送信プロトコルを利用することによって、送信部を何ら特殊化することなく、到来角推定に必要な多くのデータパケットを受信部によって得ることができる。
【００２０】
図４は、本開示の一実施形態による到来角推定のためのデータパケットフローを例示する略図である。データパケットフローは、当初のデータパケットが送信される第１のタイムスロット２８から始まる。受信部回路１０は、当初のデータパケットをデコードして、パケット長と内部のデータシンボルを決定してもよい。したがって、第１のタイムスロット２８の間に、アンテナ切替回路１４によってアンテナ１２の一方をデコーダ回路１６に結合して、スイッチング過渡現象がデータシンボルのデコーディングと干渉しないようにしてもよい。第２のタイムスロット３０において、受信部回路１０は応答しないため、当初のデータパケットの受信に確認応答しないことによって再送信がリクエスされる。それに応じて、第３のタイムスロット３２では再送信データパケットが送信される。受信部回路１０は、再送信データパケットを用いて、第１のアンテナ１２Ａ及び第２のアンテナ１２Ｂにおける無線信号の位相を推定することを、位相推定回路１８に結合されたアンテナ１２を切り替えることによって行ってもよい。詳細には、アンテナ切替回路１４は、再送信データパケット内のデータシンボルの境界において、位相推定回路１８に結合されたアンテナ１２を切り替えて、データシンボルの異なるものが送信される間に第１の位相測定値の組と第２の位相測定値の組とが生成されるようにしてもよい。アンテナが切り替わる度にスイッチング過渡現象が導入される場合があり、そのため、位相推定を未破損のシンボル境界から始める前、過渡効果が落ち着く間、ある数のデータシンボルが無視される場合がある。最後に、第４のタイムスロット３４では、受信部回路１０は再送信パケットの受信を確認応答してもよい。
【００２１】
図５は、本開示のさらなる実施形態による到来角推定のためのデータパケットフローを例示する略図である。データパケットフローは、図４に示すものと実質的に同様である。ただし、第１のタイムスロット２８において受信部回路１０が当初のデータパケットの一部をデコードしてパケット長を決定すると同時に、当初のデータパケットを用いて第１のアンテナ１２Ａ及び第２のアンテナ１２Ｂにおける無線信号の位相も推定する。こうして、アンテナ切替回路１２は、第１のタイムスロット２８の第１の部分の間にアンテナ１２の一方をデコーダ回路１６に結合して、当初のデータパケットのパケット長を正確に決定し、そしてその後に、第１のアンテナ１２Ａと第２のアンテナ１２Ｂとの間での切り替えを始めて、アンテナ１２のそれぞれにおける位相を推定してもよい。受信部回路１０はさらに、再送信データパケットからのデータシンボルをデコードし、こうして、第３のタイムスロット３２の間は、アンテナ切替回路１４はアンテナ１２の一方をデコーダ回路１６に結合して、この間はアンテナ切り替えを実行しない。
【００２２】
図６は、本開示のさらなる実施形態による到来角推定のためのデータパケットフローを例示する略図である。データパケットフローは、当初のデータパケットが送信される第１のタイムスロット３６から始まる。受信部回路１０は当初のデータパケットの一部をデコードしてパケット長を決定してもよい。第１のタイムスロット３６の間に、アンテナ切替回路１４はアンテナ１２の一方をデコーダ回路１６に結合して、パケット長が正確に決定できるようにしてもよい。第２のタイムスロット３８において、受信部回路１０は応答しないため、当初のパケットの受信に確認応答しないことによって再送信がリクエスされる。それに応じて、第３のタイムスロット４０では第１の再送信データパケットが送信される。受信部回路は、第１の再送信データパケットを用いて第１のアンテナ１２Ａ及び第２のアンテナ１２Ｂにおける無線信号の位相を推定することを、第３のタイムスロット４０の間に、位相推定回路１８に結合されたアンテナ１２を切り替えることによって行ってもよい。詳細には、アンテナ切替回路１４は、第１の再送信データパケット内のデータシンボル間の境界において、位相推定回路１８に結合されたアンテナ１２を切り替えて、データシンボルの異なるものが送信される間に第１の位相測定値の組と第２の位相測定値の組とが生成されるようにしてもよい。第４のタイムスロット４２において、受信部回路１０は再び応答しないため、第１の再送信データパケットの受信に確認応答しないことによって再送信をリクエストする。それに応じて、第５のタイムスロット４４では第２の再送信データパケットが送信される。受信部回路１０は第２の再送信データパケットを用いて、内部のデータシンボルをデコードしてもよい。したがって、第５のタイムスロット４４の間は、アンテナ切替回路１４がアンテナ１２の一方をデコーダ回路１６に結合して、スイッチング過渡現象が第２の再送信データパケット内のデータシンボルのデコーディングと干渉しないようにしてもよい。最後に、第６のタイムスロット４６では、受信部回路１０は第２の再送信データパケットの受信を確認応答してもよい。
【００２３】
特に、前述のデータパケットフローは単に例示である。当業者であれば容易に分かるように、前述の考え方は多くの異なる方法で適用してもよく、これらはすべて本明細書において企図される。
【００２４】
図７に示すのは、本開示の一実施形態による位相推定回路１８の詳細である。位相推定回路１８には、位相測定回路４８及びシンボル位相寄与キャンセレーション回路５０が含まれる。位相測定回路４８は、無線信号（前述したように、これは受信部回路１０内の復調器（図示せず）によって与えてもよい）の同相成分Ｉ＿ＩＮ及び直交成分Ｑ＿ＩＮを受信するように構成されたエッジ検出器回路５２を含む。受信部回路１０がハード制限されると想定して、無線信号の同相成分Ｉ＿ＩＮ及び直交成分Ｑ＿ＩＮを２値信号として与えて、そのエッジにのみ情報が含まれるようにする。エッジ検出器回路５２は、エッジ検出信号Ｅ＿ＤＥＴとエッジ補正信号Ｅ＿ＣＯＲＲとを与える。エッジ検出信号Ｅ＿ＤＥＴは、無線信号の同相成分Ｉ＿ＩＮまたは直交成分Ｑ＿ＩＮのいずれかの立ち上がりまたは立ち下がりエッジの存在を示す。エッジ補正信号Ｅ＿ＣＯＲＲは、どの成分のどのエッジが検出されたかに依存するエッジオフセット値を与える。
【００２５】
検出されたエッジが無線信号の同相成分Ｉ＿ＩＮのポジティブエッジであるとき、エッジ補正信号Ｅ＿ＣＯＲＲは＋１８０として与えられる。検出されたエッジが無線信号の同相成分Ｉ＿ＩＮのネガティブエッジであるとき、エッジ補正信号Ｅ＿ＣＯＲＲは０として与えられる。検出されたエッジが無線信号の直交成分Ｑ＿ＩＮのポジティブエッジであるとき、エッジ補正信号Ｅ＿ＣＯＲＲは＋２７０として与えられる。検出されたエッジが無線信号の直交成分Ｑ＿ＩＮのネガティブエッジであるとき、エッジ補正信号Ｅ＿ＣＯＲＲは＋９０として与えられる。
【００２６】
エッジ検出信号Ｅ＿ＤＥＴはサンプラー５４に与えられる、それに応じてサンプラー５４はトリガされて、鋸歯発振器５６の出力をサンプリングする。鋸歯発振器５６が与える鋸歯状出力ＳＴ＿ＯＳＣは、シンボル位相寄与キャンセレーション回路５０からの動作周波数信号Ｆ＿ＯＰによって決定される周波数において振幅０〜３６０で変化する。エッジ検出信号Ｅ＿ＤＥＴによってトリガされると、サンプラー５４は、サンプリングされた鋸歯状出力ＳＴ＿ＯＳＣ（ｔ）を加算器５８に与える。加算器５８はエッジ検出回路５２からのエッジ補正信号Ｅ＿ＣＯＲＲも受信して、これら２つを加算して位相推定値ＰＨ＿ＥＳＴを与える。位相推定信号ＰＨ＿ＥＳＴが平均化回路６０に与えられる。平均化回路６０は、１つ以上の以前の位相推定信号を用いて位相推定信号ＰＨ＿ＥＳＴを平均化して、平均位相推定値ＡＶＧ（ＰＨ＿ＥＳＴ）を与える。平均化回路６０には、平均加算器６２、ディレイ６４、及び分割器６６が含まれる。位相推定信号ＰＨ＿ＥＳＴは加算器６２に与えられる。ここでは、位相推定信号ＰＨ＿ＥＳＴを、ディレイ６４に保持される１つ以上の以前の位相推定に加える。組み合わせた位相推定は分割器６６に与えられる。ここでは、それらを位相推定数で割って平均位相推定値ＡＶＧ（ＰＨ＿ＥＳＴ）を与える。位相測定回路４８に関するさらなる詳細は、同時譲渡されて同時継続中の米国特許出願第１６／１７５，１８４号に見られる。なお、この文献の内容はその全体において参照により本明細書に組み込まれている。
【００２７】
シンボル位相寄与キャンセレーション回路５０は周波数セレクタ回路６８を含む。周波数セレクタ回路６８は、ポジティブ周波数オフセット信号＋Δｆ、ネガティブ周波数オフセット信号−Δｆ、及びデータシンボルＤＡＴＡ＿ＳＹＭを受信して、ポジティブ周波数オフセット信号＋Δｆ及びネガティブ周波数オフセット信号−Δｆの一方を周波数オフセット値Ｆ＿ＯＦＦとして与える。ポジティブ周波数オフセット信号＋Δｆ及びネガティブ周波数オフセット信号−Δｆの一方がデータシンボルＤＡＴＡ＿ＳＹＭに依存する。当業者であれば分かるように、連続位相周波数シフトキーイング（ＣＰＦＳＫ）システムでは、周波数を±Δｆによって変調して異なるデータシンボルを伝える。たとえば、ＢＴＬＥシステムでは周波数は±２５０ｋＨｚによって変調され、Ｚｉｇｂｅｅシステムの場合は周波数は±５００ｋＨｚによって変調される。したがって、周波数オフセット値Ｆ＿ＯＦＦはデータシンボルＤＡＴＡ＿ＳＹＭを示す。
【００２８】
周波数オフセット値Ｆ＿ＯＦＦが、加算器７０によって、無線信号の既知の中間周波数Ｆ＿ＩＦと無線信号の推定されたキャリア周波数オフセットＣＦ＿ＯＦＦとに加えられて、動作周波数信号Ｆ＿ＯＰを与える。キャリア周波数オフセットＣＦ＿ＯＦＦの決定は、たとえば、データパケットの１つのプリアンブルをデコードするときに行ってもよい。動作周波数信号Ｆ＿ＯＰが位相推定回路５０及び乗算器７２に与えられる。乗算器７２では、動作周波数信号Ｆ＿ＯＰにシンボル時間Ｐ＿ＳＹＭ＊２πを乗じて、シンボル位相寄与ＳＹＭ＿ＰＨ＿ＣＮを与える。シンボル位相寄与ＳＹＭ＿ＰＨ＿ＣＮは、前述したように、電流データシンボルＤＡＴＡ＿ＳＹＭの変調に起因する信号キャリアの位相である。シンボル位相寄与ＳＹＭ＿ＰＨ＿ＣＮを、データパケット内の先行するシンボルに対して以前に決定したシンボル位相寄与とともに蓄積して、蓄積シンボル位相寄与ＡＣＣ（ＳＹＭ＿ＰＨ＿ＣＮ）を与える。こうする理由は、ＣＰＦＳＫシステムでは、各データシンボルのシンボル位相寄与は、それに先行するデータシンボルのシンボル位相寄与の影響を受けるからである。累算器７４には加算器７６及びディレイ７８が含まれる。シンボル位相寄与ＳＹＭ＿ＰＨ＿ＣＮを加算器７６に与える。ここでは、シンボル位相寄与ＳＹＭ＿ＰＨ＿ＣＮを、ディレイ７８に保持される１つ以上の以前のシンボル位相寄与に加える。
【００２９】
蓄積シンボル位相寄与ＡＣＣ（ＳＹＭ＿ＰＨ＿ＣＮ）が位相測定回路４８内の減算器８０に与えられる。減算器８０では、蓄積シンボル位相寄与ＡＣＣを平均位相推定値ＡＶＧ（ＰＨ＿ＥＳＴ）から差し引いて、補正位相ＣＯＲＲ＿ＰＨを与える。前述したように、補正された位相は、シンボル位相寄与の影響を受けないキャリア信号位相だけを示す。特に、位相測定回路４８は、パケットのすべてのデータシンボルの間において無線信号の位相を測定しない場合があるが、それでもなお、シンボル位相寄与キャンセレーション回路５０は、パケット内の各シンボルに対するシンボル位相寄与を蓄積する。なぜならば、前述したように、各データシンボルのシンボル位相寄与は、すべての先行するデータシンボルのシンボル位相寄与に依存し得るからである。
【００３０】
図８に示すのは、本開示のさらなる実施形態による位相推定回路１８の詳細である。今度の場合も、位相推定回路１８には位相測定回路４８及びシンボル位相寄与キャンセレーション回路５０が含まれる。シンボル位相寄与キャンセレーション回路５０は図７の場合と同じであるが、その代わりに位相測定回路４８には、ＣＯＲＤＩＣ８２、相関回路８４、ＡＲＣＴＡＮ回路８６、及び減算器８８が含まれる。ＣＯＲＤＩＣ８２は無線信号を受信して、それを同相成分Ｉと直交成分Ｑとに分割する。相関回路８４は、同相成分Ｉ及び直交成分Ｑを多くの既知のシンボルパターンＳＹＭ＿ＰＡＴＳと相関づけて、データシンボルＤＡＴＡ＿ＳＹＭを検出する。ＡＲＣＴＡＮ回路８６はデータシンボルを位相推定値ＰＨ＿ＥＳＴに変換する。減算器回路８８は、シンボル位相寄与キャンセレーション回路５０から蓄積シンボル位相寄与ＡＣＣ（ＳＹＭ＿ＰＨ＿ＣＮ）を差し引いて、補正位相ＣＯＲＲ＿ＰＨを与える。前述したように、補正された位相は、シンボル位相寄与の影響を受けないキャリア信号の位相だけを示す。
【００３１】
いくつかの状況では、到来角推定を目的として、特定のデータパケットを送信することがやはり望ましい場合がある。しかし、このパケットがやはり、送信部が用いる無線標準に適合する一方で、到来角推定に対する精度及び性能が向上し得る。最初に、既知の列のデータシンボルを送信してもよい。既知の列のデータシンボルを送信することによって、シンボル位相寄与の検出に関連するオーバーヘッドがなくなる。さらに、そうすることによって、性能の向上が、望ましいシンボル列と到来角推定の精度を向上させるパケット長との選択を可能にすることによって起こり得る。それに応じて、図９に本開示の一実施形態による到来角推定に対するデータパケット９０を示す。データパケット９０には、プリアンブル、開始フレームデリミタ（ＳＦＤ）、ヘッダ、いくつかの既知データ、多くの繰り返しデータシンボル、及び巡回冗長検査（ＣＲＣ）が含まれる。既知データには、最初の時間及び周波数推定を改善するための多くのランダムまたは既知データシンボルが含まれる。繰り返しシンボルには長い列のデータシンボルが含まれる。このデータシンボルによって、受信部が到来角を推定することが容易になる。プリアンブル及びＳＦＤの間、受信部回路１０はデータパケットとの同期を、そうするための良く知られたシステム及び方法を用いて行ってもよい。ヘッダ及び既知データの間、受信部回路１０は、周波数及びタイミングオフセットを推定する良く知られたシステム及び方法を用いて、周波数トラッキングを実行してもよい。既知データによって、周波数及びタイミングオフセットの信頼性が向上し得る。なぜならば、その長さは、任意のデータパケットにおける周波数トラッキングに対して利用でき得るものよりはるかに長い可能性があるからである。最後に、受信部回路１０は繰り返しシンボルの間に無線信号の位相を推定してもよい。繰り返しシンボルは予め分かっていて、繰り返しシンボルの数は制御できるため、位相推定の精度（したがって到来角推定）は、任意のデータパケットを用いる場合よりも改善され得る。さらに、繰り返しシンボルに対して用いるデータシンボルは、１または０チップの長い列を伴うデータシンボルを選択することによって位相推定をより容易にするように選択してもよい。
【００３２】
当業者であれば分かるように、最小偏移（ＭＳＫ）変調方式では、各データシンボルは多くのチップで構成され、チップは、図１０に示すように、１または０で表される。図１０では、ＭＳＫデータシンボル９２が３回繰り返される場合を例示している。図示したように、各データシンボルには６つの連続的な０チップの文字列が含まれる。このようなシンボルを選択して、後述するように位相を測定することによって、受信部が行う位相測定（したがって、結果として得られる到来角推定）に対する精度向上が実現され得る。最初に、シンボル毎に１回、シンボル内の同じ位置でアンテナ１２を切り替えることによって、位相推定に対するシンボル間干渉（ＩＳＩ）の影響を小さくしてもよい。なぜならば、このように行うと、ＩＳＩ寄与は各アンテナ上で同じだからである。次に、示した位相測定時間より数マイクロセカンド前にアンテナを切り替えることによって、位相測定に対するスイッチング過渡現象の影響を回避することができる。最後に、１または０チップ（０チップは図１０に示す例にある）の長い列の間に位相測定を行うことによって、位相推定はタイミング同期エラーに対してより堅固になる。位相測定時間が１または０チップの列内に留まる間は、固定のタイミングエラーがあっても到来角推定の精度には影響しない。特に、この最後の測定技術は、データシンボルが前もって分かっているか否かとは関係なく適用してもよい。すなわち、前もって分かっていない場合にデータシンボルを検出してもよく、位相推定をやはり、精度の可能性がより高いシンボル内の好ましい場所で行ってもよい（たとえば、前述したように、１または０チップの長い文字列の間に）。
【００３３】
当業者であれば、本開示の好ましい実施形態に対する改善及び変更を理解するであろう。このような改善及び変更はすべて、本明細書で開示した概念及び以下の請求項の範囲内であると考えられる。
【図１】
2020095006.tif 000003
【図２】
2020095006.tif 000004
【図３】
2020095006.tif 000005
【図４】
2020095006.tif 000006
【図５】
2020095006.tif 000007
【図６】
2020095006.tif 000008
【図７】
2020095006.tif 000009
【図８】
2020095006.tif 000010
【図９】
2020095006.tif 000011
【図１０】
2020095006.tif 000012
【外国語明細書】
2020095006000001.pdf